(57)【特許請求の範囲】
【請求項１】
基地局装置と通信する端末装置からなる通信システムであって、
前記端末装置は、
複数のプレコーダから少なくとも一つの好適なプレコーダを指定するための部分プレコーダ情報をデータと共に前記基地局装置に送信するに際し、
前記部分プレコーダ情報が非周期的に報告される部分プレコーダ情報である場合は、前記データと同様の方法で前記部分プレコーダ情報の並び替えを行い、
前記部分プレコーダ情報が周期的に報告される部分プレコーダ情報である場合は、前記データとは異なる方法で前記部分プレコーダ情報の並び替えを行い、
並びかえられた前記部分プレコーダ情報を前記基地局装置に送信し、
前記基地局装置は前記端末装置から送信された前記部分プレコーダ情報を受信し、前記データと同じ並び替え又は前記データと異なる並び替えを元に戻すような並べ替え処理により前記部分プレコーダ情報を取得する
ことを特徴とする通信システム。
【請求項２】
端末装置と通信する基地局装置であって、
データを送受信するためのチャネルを用いて、前記端末装置によって送信された、複数のプレコーダから少なくとも一つの好適なプレコーダを指定するための部分プレコーダ情報と、データを受信するに際し、
前記部分プレコーダ情報が非周期的に報告される部分プレコーダ情報である場合は、前記データと同様の方法で前記部分プレコーダ情報が並び替えされており、
前記部分プレコーダ情報が周期的に報告される部分プレコーダ情報である場合は、前記データとは異なる方法で前記部分プレコーダ情報の並び替えされており、
前記データと同じ並び替え又は前記データと異なる並び替えを元に戻すような並べ替え処理により前記部分プレコーダ情報を取得する
ことを特徴とする基地局装置。
【請求項３】
端末装置と通信する基地局装置における処理方法であって、
前記端末装置によって送信された、複数のプレコーダから少なくとも一つの好適なプレコーダを指定するための部分プレコーダ情報と、データを受信するに際し、
前記部分プレコーダ情報が非周期的に報告される部分プレコーダ情報である場合は、前記データと同様の方法で前記部分プレコーダ情報が並び替えされており、
前記部分プレコーダ情報が周期的に報告される部分プレコーダ情報である場合は、前記データとは異なる方法で前記部分プレコーダ情報の並び替えされており、
前記基地局装置は、前記データと同じ並び替え又は前記データと異なる並び替えを元に戻すような並べ替え処理により前記部分プレコーダ情報を取得する
ことを特徴とする基地局装置。
【請求項４】
基地局装置と通信する端末装置であって、
複数のプレコーダから少なくとも一つの好適なプレコーダを指定するための部分プレコーダ情報をデータと共に前記基地局装置に送信するに際し、
前記部分プレコーダ情報が非周期的に報告される部分プレコーダ情報である場合は、前記データと同様の方法で前記部分プレコーダ情報の並び替えを行い、
前記部分プレコーダ情報が周期的に報告される部分プレコーダ情報である場合は、前記データとは異なる方法で前記部分プレコーダ情報の並び替えを行う、
ことを特徴とする端末装置。
【請求項５】
基地局装置と通信する端末装置における処理方法であって、
前記端末装置が、複数のプレコーダから少なくとも一つの好適なプレコーダを指定するための部分プレコーダ情報をデータと共に前記基地局装置に送信するに際し、
前記部分プレコーダ情報が非周期的に報告される部分プレコーダ情報である場合は、前記端末装置は前記データと同様の方法で前記部分プレコーダ情報の並び替えを行い、
前記部分プレコーダ情報が周期的に報告される部分プレコーダ情報である場合は、前記端末装置は前記データとは異なる方法で前記部分プレコーダ情報の並び替えを行う、
ことを特徴とする処理方法。
【発明の詳細な説明】
【技術分野】
【０００１】
本発明は、端末装置、基地局装置、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような移動無線通信システムでは、基地局装置（基地局、送信局、下りリンク送信装置、上りリンク受信装置、ｅＮｏｄｅＢ）あるいは基地局に準じる送信局がカバーするエリアをセル（Ｃｅｌｌ）状に複数配置するセルラー構成とすることにより、通信エリアを拡大することができる。
【０００３】
また、隣接するセル間またはセクタ間で異なる周波数を用いることでセル端（セルエッジ）領域またはセクタ端領域にいる端末装置（移動局、受信局、上りリンク送信装置、下りリンク受信装置、移動端末、ＵＥ；Ｕｓｅｒ  Ｅｑｕｉｐｍｅｎｔ）でも、複数の基地局からの送信信号の干渉を受けることなく通信を行うことができるが、周波数利用効率が低いという問題があった。一方、隣接するセルまたはセクタ間で同一周波数を利用することで、周波数利用効率を向上させることができるが、セル端領域にいる端末装置に対する干渉の対策が必要となる。
【０００４】
また、基地局と端末装置との間の伝送路状況に応じて、変調方式および符号化率（ＭＣＳ；  Ｍｏｄｕｌａｔｉｏｎ  ａｎｄ  Ｃｏｄｉｎｇ  Ｓｃｈｅｍｅ）や空間多重数（レイヤー数、ランク）やプレコーダ（プリコーダ）などを適応的に制御することで、より効率的なデータ伝送を実現することができる。非特許文献１ではこれらの制御を行う方法が示されている。
【０００５】
図１３はＬＴＥにおける基地局１３０１と端末装置１３０２を示す図である。ＬＴＥにおいて、送信される下りリンク送信下りリンク送信信号１３０３に対してＭＣＳや空間多重数やプレコーダを適応的に制御するに際し、端末装置１３０２は基地局１３０１から送信される下りリンク送信下りリンク送信信号１３０３に含まれる下りリンク参照信号（ＲＳ：Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダを指定するプレコーディング行列情報ＰＭＩ（Ｐｒｅｃｏｄｉｎｇ  Ｍａｔｒｉｘ  Ｉｎｄｉｃａｔｏｒ）好適な伝送レートを指定するチャネル品質指標ＣＱＩ（Ｃｈａｎｎｅｌ  Ｑｕａｌｉｔｙ  Ｉｎｄｉｃａｔｏｒ）などに代表される受信品質情報を計算し、上りリンクのチャネル１３０４を介して基地局１３０１に報告する。
【先行技術文献】
【非特許文献】
【０００６】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  ８）、２００８年１２月、３ＧＰＰ  ＴＳ３６．２１３  Ｖ８．８．０  （２００９−９）
【発明の概要】
【発明が解決しようとする課題】
【０００７】
しかしながら、従来の通信方式では、データ送信用のチャネルを用いて制御情報である受信品質情報を送信する際に、状況によらず受信品質情報に対する処理が一義的であったため、伝送効率の向上を妨げる要因となっていた。
【０００８】
本発明は、上記問題を鑑みてなされたものであり、その目的は、データ送信用のチャネルを用いて制御情報である受信品質情報を送信する際に、効率的な受信品質情報の報告を行なうことができる端末装置、基地局装置、通信システムおよび通信方法を提供することにある。
【課題を解決するための手段】
【０００９】
（１）この発明は上述した課題を解決するためになされたもので、基地局装置と通信する端末装置からなる通信システムであって、前記端末装置は、複数のプレコーダから少なくとも一つの好適なプレコーダを指定するための部分プレコーダ情報をデータと共に前記基地局装置に送信するに際し、前記部分プレコーダ情報が非周期的に報告される部分プレコーダ情報である場合は、前記データと同様の方法で前記部分プレコーダ情報の並び替えを行い、前記部分プレコーダ情報が周期的に報告される部分プレコーダ情報である場合は、前記データとは異なる方法で前記部分プレコーダ情報の並び替えを行い、並びかえられた前記部分プレコーダ情報を前記基地局装置に送信し、前記前記基地局装置は前記移動局から送信された前記部分プレコーダ情報を受信し、前記データと同じ並び替え又は前記データと異なる並び替えを元に戻すような並べ替え処理により前記部分プレコーダ情報を取得することを特徴とする。
【００１０】
（２）また、本発明の一態様においては、端末装置と通信する基地局装置であって、前記端末装置によって送信された、複数のプレコーダから少なくとも一つの好適なプレコーダを指定するための部分プレコーダ情報と、データを受信するに際し、前記部分プレコーダ情報が非周期的に報告される部分プレコーダ情報である場合は、前記データと同様の方法で前記部分プレコーダ情報が並び替えされており、前記部分プレコーダ情報が周期的に報告される部分プレコーダ情報である場合は、前記データとは異なる方法で前記部分プレコーダ情報の並び替えされており、前記データと同じ並び替え又は前記データと異なる並び替えを元に戻すような並べ替え処理により前記部分プレコーダ情報を取得することを特徴とする。
【００１１】
（３）また、本発明の一態様においては、端末装置と通信する基地局装置における処理方法であって、前記端末装置によって送信された、複数のプレコーダから少なくとも一つの好適なプレコーダを指定するための部分プレコーダ情報と、データを受信するに際し、前記部分プレコーダ情報が非周期的に報告される部分プレコーダ情報である場合は、前記データと同様の方法で前記部分プレコーダ情報が並び替えされており、前記部分プレコーダ情報が周期的に報告される部分プレコーダ情報である場合は、前記データとは異なる方法で前記部分プレコーダ情報の並び替えされており、前記基地局装置は、前記データと同じ並び替え又は前記データと異なる並び替えを元に戻すような並べ替え処理により前記部分プレコーダ情報を取得することを特徴とする。
【００１２】
（４）また、本発明の一態様においては、基地局装置と通信する端末装置であって、複数のプレコーダから少なくとも一つの好適なプレコーダを指定するための部分プレコーダ情報をデータと共に前記基地局装置に送信するに際し、前記部分プレコーダ情報が非周期的に報告される部分プレコーダ情報である場合は、前記データと同様の方法で前記部分プレコーダ情報の並び替えを行い、
前記部分プレコーダ情報が周期的に報告される部分プレコーダ情報である場合は、前記データとは異なる方法で前記部分プレコーダ情報の並び替えを行う、
ことを特徴とする。
【００１３】
（５）また、本発明の一態様においては、基地局装置と通信する端末装置における処理方法であって、前記端末装置が、複数のプレコーダから少なくとも一つの好適なプレコーダを指定するための部分プレコーダ情報をデータと共に前記基地局装置に送信するに際し、前記部分プレコーダ情報が非周期的に報告される部分プレコーダ情報である場合は、前記端末装置は前記データと同様の方法で前記部分プレコーダ情報の並び替えを行い、前記部分プレコーダ情報が周期的に報告される部分プレコーダ情報である場合は、前記端末装置は前記データとは異なる方法で前記部分プレコーダ情報の並び替えを行う、ことを特徴とする。
【発明の効果】
【００１４】
この発明によれば、データ送信用のチャネルを用いて制御情報である受信品質情報を送信する際に、効率的な受信品質情報の報告を行なうことができる。
【図面の簡単な説明】
【００１５】
【図１】本発明の第１の実施形態に係る通信システムの構成を示す概略構成図である。
【図２】同実施形態における下りリンクの無線フレーム構成の一例を示す図である。
【図３】同実施形態における上りリンクの無線フレーム構成の一例を示す図である。
【図４】同実施形態における基地局装置のブロック構成の一例を示す図である。
【図５】同実施形態における端末装置のブロック構成の一例を示す図である。
【図６】同実施形態における非周期的フィードバックモードにおけるプロシージャの一例を示す図である。
【図７】同実施形態における非周期的フィードバックモードにおけるマッピングの一例を示す図である。
【図８】同実施形態における周期的フィードバックモードにおけるプロシージャの一例を示す図である。
【図９】同実施形態における周期的フィードバックモードにおけるプロシージャの他の一例を示す図である。
【図１０】同実施形態における周期的フィードバックモードにおけるプロシージャの他の一例を示す図である。
【図１１】同実施形態における上りリンクデータ送信におけるプロシージャの一例を示す図である。
【図１２】同実施形態における周期的フィードバックモードのピギーバック時におけるマッピングの一例を示す図である。
【図１３】通信システムの構成を示す概略構成図である。
【発明を実施するための形態】
【００１６】
（第１の実施形態）
以下、図面を参照して、本発明の第１の実施形態について説明する。
【００１７】
図１は、本発明の第１の実施形態に係る通信システムの構成を示す概略構成図である。同図の通信システムはＬＴＥ−Ａシステムを想定しており、セルを構成する基地局装置（基地局、送信局、下りリンク送信装置、上りリンク受信装置、ｅＮｏｄｅＢ）１０１と端末装置（移動局、受信局、上りリンク送信装置、下りリンク受信装置、移動端末、ＵＥ；Ｕｓｅｒ  Ｅｑｕｉｐｍｅｎｔ）１０２とを含んで構成される。Ｃｅｌｌ＃０とＣｅｌｌ＃１において送信される下りリンク送信信号１０３に対してＭＣＳ（Ｍｏｄｕｌａｔｉｏｎ  ａｎｄ  Ｃｏｄｉｎｇ  Ｓｃｈｅｍｅ）やランクやプレコーダなどの送信パラメータを適応的に制御するに際し、端末装置１０２は基地局１０１から送信される下りリンク送信信号１０３に含まれる下りリンク参照信号（ＲＳ：Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダ（Ｐｒｅｆｅｒｒｅｄ  Ｐｒｅｃｏｄｅｒ）を指定する複数の部分プレコーダ情報ＰＩ（Ｐｒｅｃｏｄｅｒ  Ｉｎｆｏｒｍａｔｉｏｎ）、および好適な伝送レート（変調方式・符号化率・トランスポートブロックの長さなど）を指定するチャネル品質指標ＣＱＩ（Ｃｈａｎｎｅｌ  Ｑｕａｌｉｔｙ  Ｉｎｄｉｃａｔｏｒ）などの受信品質情報を計算し、上りリンクのチャネル１０４を介して、基地局１０１に報告する。ここでは、部分プレコーダ情報ＰＩとして、部分プレコーダ情報１（ＰＩ１、第１の部分プレコーダ情報）および部分プレコーダ情報２（ＰＩ２、第２の部分プレコーダ情報）を報告する場合について説明する。例えば、ＰＩ１としてｍビットで表すことができるインデクスｉと、ＰＩ２としてｎビットで表すことができるインデクスｊとを用いて、好適なプレコーダＷ（ｉ，ｊ）を指定する。あるいは、さらにランクｒを用いて、好適なプレコーダＷ（ｒ）（ｉ，ｊ）を指定する。ただし、Ｗ（ｉ，ｊ）はｉとｊにより一意に決定される行列であり、この決定方法（コードブック）は基地局装置と端末装置との間で共有されている。言い換えると、コードブックとは好適なプレコーダの複数の候補である。また、好適なプレコーダの算出方法としては、例えば、下りリンクの伝搬路を考慮した上で、下りリンクの受信信号電力が大きくなるようなプレコーダを算出するという方法などを用いることができる。
【００１８】
図２は、本実施形態に係る下りリンクの無線フレーム構成の一例を示している。下りリンクはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）アクセス方式が用いられる。下りリンクでは、物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが割り当てられる。また、ＰＤＳＣＨの一部に下りリンク参照信号（ＲＳ；Ｒｅｆｅｒｅｎｃｅ  Ｓｉｇｎａｌ）が多重される。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。物理下りリンク制御チャネルは、端末装置識別子、下りリンク共用チャネルのスケジューリング情報、上りリンク共用チャネルのスケジューリング情報、変調方式、符号化率、再送パラメータなどの下りリンク制御情報が送信される物理チャネルである。なお、ここでは一つのＣＣにおける下りリンクサブフレームを記載しているが、ＣＣ毎に下りリンクサブフレームが規定され、下りリンクサブフレームはＣＣ間でほぼ同期している。
【００１９】
図３は、本実施形態に係る上りリンクの無線フレーム構成の一例を示している。上りリンクはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）などが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。
【００２０】
図４は、本実施形態に係る基地局装置のブロック構成の一例を示す概略図である。基地局装置は、下りリンクサブフレーム生成部４０１、ＯＦＤＭ信号送信部４０４、送信アンテナ（基地局送信アンテナ）４０５、受信アンテナ（基地局受信アンテナ）４０６、ＳＣ−ＦＤＭＡ信号受信部４０７、フィルタ部４０８、コードワード処理部４１２、上位層４１３を有する。下りリンクサブフレーム生成部４０１は、物理下りリンク制御チャネル生成部４０２、下りリンク参照信号生成部４０３を有する。フィルタ部４０８はフィードバック情報抽出部４０９を有する。
【００２１】
図５は、本実施形態に係る端末装置のブロック構成の一例を示す概略図である。端末装置は、受信アンテナ（端末受信アンテナ）５０１、ＯＦＤＭ信号受信部５０２、下りリンクサブフレーム処理部５０３、上位層５０６、フィードバック情報生成部５０７、コードワード生成部５０８、上りリンクサブフレーム生成部５０９、ＳＣ−ＦＤＭＡ信号送信部５１１、送信アンテナ（端末送信アンテナ）５１２を有する。下りリンクサブフレーム処理部５０３は、下りリンク参照信号抽出部５０４、物理下りリンク制御チャネル抽出部５０５を有する。上りリンクサブフレーム生成部５０９は、上りリンク参照信号生成部５１０を有する。
【００２２】
まず、図４および図５を用いて、下りリンクの送受信の流れについて説明する。基地局装置では、上位層４１３から送られてくるコードワード（物理層における送信データ系列）毎の送信データ（トランスポートブロックとも称す）は、下りリンクサブフレーム生成部４０１において、誤り訂正符号化、レートマッチング処理、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。変調シンボル系列は、変調シンボル系列のマッピング単位であるリソースエレメント（ＲＥ；Ｒｅｓｏｕｒｃｅ  ｅｌｅｍｅｎｔ）にマッピングされ、上位層により指示されたプレコーダによりプレコーディング処理が施される。なお、下りリンクにおけるＲＥは、各ＯＦＤＭシンボル上の各サブキャリアに対応して規定される。このとき、上位層４１３から送られてくる送信データ系列は、ＲＲＣ（Ｒａｄｉｏ  Ｒｅｓｏｕｒｃｅ  Ｃｏｎｔｒｏｌ）シグナリング用の制御データを含む。また、物理下りリンク制御チャネル生成部４０２では、上位層４１３の指示により、物理下りリンク制御チャネルが生成される。ここで、物理下りリンク制御チャネルに含まれる制御情報は、下りリンクにおける送信パラメータ、上りリンクのリソース割り当て・上りリンクの送信パラメータ・ＣＱＩリクエストなどの情報を含む。下りリンク参照信号生成部４０３は、下りリンク参照信号ＤＬＲＳ（Ｄｏｗｎ  Ｌｉｎｋ  Ｒｅｆｅｒｅｎｃｅ  Ｓｉｇｎａｌ）が生成される。下りリンクサブフレーム生成部４０１は、物理下りリンク制御チャネルとＤＬＲＳとを、下りリンクサブフレーム内のＲＥにマッピングする。下りリンクサブフレーム生成部４０１で生成された下りリンクサブフレームは、ＯＦＤＭ信号送信部４０４においてＯＦＤＭ信号に変調され、送信アンテナ４０５を介して送信される。
【００２３】
端末装置では、受信アンテナ５０１を介して、ＯＦＤＭ信号受信部５０２においてＯＦＤＭ信号が受信され、ＯＦＤＭ復調処理が施される。下りリンクサブフレーム処理部５０３は、受信した下りリンクサブフレームから受信データを抽出して上位層５０６に送る。より具体的には、下りリンクサブフレーム生成部４０１における変調処理、レートマッチング処理、誤り訂正符号化に対応する復調処理、レートマッチング処理、誤り訂正復号化などが施される。下りリンク参照信号抽出部５０４は、下りリンク参照信号生成部４０３において生成され、下りリンクサブフレーム生成部４０１においてマッピングされたＤＬＲＳを抽出し、フィードバック情報生成部５０７に送る。物理下りリンク制御チャネル抽出部５０５は、物理下りリンク制御チャネル生成部４０２において生成され、下りリンクサブフレーム生成部４０１においてマッピングされた物理下りリンク制御チャネルに含まれる制御情報を抽出し、上位層５０６に送る。
【００２４】
ここで、基地局装置における下りリンクサブフレーム生成部４０１とＯＦＤＭ信号送信部４０４と送信アンテナ４０５とにおける処理、および端末装置における受信アンテナ５０１とＯＦＤＭ信号受信部５０２と下りリンクサブフレーム処理部５０３とにおける処理は、下りリンクのセル（ＣＣ）毎に行われる。また、フィードバック情報生成部５０７は、複数の下りリンクセルにおける受信品質情報（フィードバック情報）を生成する。
【００２５】
次に、図４および図５を用いて、上りリンクの送受信の流れについて説明する。端末装置では、上位層５０６から送られてくるコードワード毎の送信データ（トランスポートブロックとも称す）は、コードワード生成部５０８において、誤り訂正符号化、レートマッチング処理などの処理により、コードワードＣＷ（Ｃｏｄｅ  Ｗｏｒｄ）に変換される。フィードバック情報生成部５０７は、上位層５０６の指示に従い、下りリンク参照信号抽出部５０７で抽出されたＤＬＲＳを用いて、ＲＩ・ＰＩ１・ＰＩ２・ＣＱＩなどの符号化してフィードバック情報を生成する。上りリンク参照信号生成部５１０は、上りリンク参照信号ＵＬＲＳ（ＵｐＬｉｎｋ  Ｒｅｆｅｒｅｎｃｅ  Ｓｉｇｎａｌ）を生成する。上りリンクサブフレーム生成部５０９は、コードワード変調シンボル系列とフィードバック情報とを所定の方法で並び替えた後、上りリンク参照信号とともに、上りリンクサブフレームにマッピングする。ＳＣ−ＦＤＭＡ信号送信部５１１は、上りリンクサブフレームにＳＣ−ＦＤＭＡ変調を施してＳＣ−ＦＤＭＡ信号を生成し、送信アンテナ５１２を介して送信する。
【００２６】
基地局装置では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。フィルタ部５０３は、受信した上りリンクサブフレームからコードワードを抽出してコードワード処理部４１２に送る。コードワード処理部は、コードワードから受信データを抽出して上位層４１３に送る。より具体的には、コードワード生成部５０８におけるレートマッチング処理、誤り訂正符号化に対応するレートマッチング処理、誤り訂正復号化などが施すことにより受信データを抽出する。フィルタ部４０８内のフィードバック情報抽出部４０９は、フィードバック情報生成部５０７において生成され、上りリンクサブフレーム生成部４０１においてマッピングされたフィードバック情報を、上位層からの指示に従って抽出して復号化し、上位層４１３に送る。ここで、フィルタ部５０３が行うフィルタリング処理では、受信アンテナ４０６毎の受信信号に対して、ＺＦ（Ｚｅｒｏ  Ｆｏｒｃｉｎｇ）やＭＭＳＥ（Ｍｉｎｉｍｕｍ  Ｍｅａｎ  Ｓｑｕａｒｅ  Ｅｒｒｏｒ）やＭＬＤ（Ｍａｘｉｍｕｍ  Ｌｉｋｅｌｉｈｏｏｄ  Ｄｅｔｅｃｔｉｏｎ）などの方法を用いて、コードワード毎の信号を検出する。
【００２７】
図６は、本実施形態に係るプロシージャの一例を示している。図６に示したプロシージャは、ＲＩ・ＰＩ１・ＰＩ２・Ｗ−ＣＱＩを非周期的にフィードバックする非周期的フィードバックモード（第１のフィードバックモード）におけるプロシージャの一例である。まず、基地局はＲＲＣシグナリングを介して、端末装置におけるフィードバックのパラメータを設定する（ステップＳ６０１）。次に、基地局は、非周期的なフィードバックを指示する情報であるＣＱＩリクエストを端末装置に通知する（ステップＳ６０２）。また、フィードバック情報を同時に報告するリソース（例えば物理上りリンク共用チャネル）を割り当てる。非周期的なフィードバックを指示された端末装置は、設定されたフィードバックのパラメータに従いＲＩ、ＰＩ１、ＰＩ２およびＷ−ＣＱＩを同時に（同じタイミングで）基地局装置に報告する（ステップＳ６０３）。Ｓ−ＣＱＩをフィードバックする非周期的フィードバックモードの場合は、さらにＳ−ＣＱＩを同時に報告する。ここで、端末装置は、複数の帯域ＢＰのＳ−ＣＱＩを同時に報告する。なお、ここではステップＳ６０２における端末装置におけるＣＱＩリクエストの通知を物理下りリンク制御チャネルを介した動的なシグナリングで行う例について説明するが、これに限るものではない。例えば、ＲＲＣシグナリングを介した準静的なシグナリングなどで、非周期的なフィードバックの指示を行うようにしても同様の効果を得ることができる。この場合、さらに報告するサブフレームを指定することが好ましい。
【００２８】
次に、非周期的フィードバックモードにおけるフィードバック情報のマッピングについて説明する。図７は、フィードバック情報のマッピングの一例を示している。図７に示す並び替えとマッピングは、上りリンクで複数のＣＷ（ＣＷ０とＣＷ１）を送信する場合の例である。なお、ここでは、ＣＷ０とＣＷ１は、それぞれレイヤ１とレイヤ２を用いて送信するものとして説明する。ここで、レイヤ（レイヤー）とは空間多重のインデクスであり、レイヤ数は空間多重数を示す。ＵＬＲＳは、各レイヤの４番目と１１番目のＳＣ−ＦＤＭＡシンボルにマッピングされる。ＲＩを含むフィードバック情報と、それ以外のフィードバック情報（例えばＷ−ＣＱＩやＰＩ１やＰＩ２）は、図７に示すような並び替えを行う。なお、ここでのパラメータは一例であり、これ以外のパラメータを用いることができるのは勿論である。例えば、ＣＷ０だけを送信する場合は、図７のレイヤ１と同様のマッピングを行えばよい。
【００２９】
より具体的には、ＣＱＩやＰＩ１やＰＩ２は、まずＣＷ０と結合される。このとき、ＣＱＩやＰＩ２を含むフィードバック情報、ＣＷ０の順で結合する。その後、結合されたシンボル系列は系列の先頭から順に、レイヤ１の１番目のＳＣ−ＦＤＭＡシンボルの最前方、レイヤ１の２番目のＳＣ−ＦＤＭＡシンボルの最前方、・・・、レイヤ１の１４番目のＳＣ−ＦＤＭＡシンボルの最前方、レイヤ１の１番目のＳＣ−ＦＤＭＡシンボルの前方から２番目、・・・というように、ＣＷ０を送信するレイヤの各ＳＣ−ＦＤＭＡシンボルの最前方から順次マッピングされるように並び替えが行われる。一方、ＣＷ１は系列の先頭から順に、レイヤ２の１番目のＳＣ−ＦＤＭＡシンボルの最前方、レイヤ２の２番目のＳＣ−ＦＤＭＡシンボルの最前方、・・・、レイヤ２の１４番目のＳＣ−ＦＤＭＡシンボルの最前方、レイヤ２の１番目のＳＣ−ＦＤＭＡシンボルの前方から２番目、・・・というように、ＣＷ１を送信するレイヤの各ＳＣ−ＦＤＭＡシンボルの最前方から順次マッピングされるように並び替えが行われる。ＲＩは、すべてのレイヤにおけるＵＬＲＳの近くのＳＣ−ＦＤＭＡシンボルの一部あるいは全部（例えば図７に示すようにレイヤ１および２の２、６、９、１３番目のＳＣ−ＦＤＭＡシンボルの後方）にマッピングされるように並び替えが行われる。すなわち、ＲＩとＣＱＩ・ＰＩ１・ＰＩ２とを異なる空間多重数あるいはそれぞれ独立した空間多重方法・マッピング方法で送信（報告）する。
【００３０】
これらの並び替えおよびマッピング処理は、上位層５０６の指示の下で、上りリンクサブフレーム生成部５０９で行われる。一方、基地局装置内のフィードバック情報抽出部４０９は、上位層４１３の指示の下で、上りリンクサブフレーム生成部５０９におけるマッピングに対応したデマッピング、上りリンクサブフレーム生成部５０９における並べ替えを元に戻すような並べ替え処理を行うことにより、フィードバック情報を取得する。
【００３１】
ここで、ＰＩ１とＰＩ２の算出に用いるコードブックについて説明する。前述したように、ＰＩ１としてｍビットで表すことができるインデクスｉと、ＰＩ２としてｎビットで表すことができるインデクスｊとを用いて、好適なプレコーダＷ（ｉ、ｊ）を指定する。この最大２ｍ＋ｎ種類のＷ（ｉ、ｊ）を規定するものがコードブックである。非周期的フィードバックモードにおいては、コードブック内のＷ（ｉ、ｊ）の選択の自由度を高くすることにより、自由度の高いフィードバックが可能となる。
【００３２】
図８は、本実施形態に係る周期的フィードバックモードにおけるプロシージャの一例を示している。図８に示したプロシージャは、一つのセルにおけるＲＩ・ＰＩ１・ＰＩ２・Ｗ−ＣＱＩ（Ｗｉｄｅｂａｎｄ  ＣＱＩ）を周期的にフィードバックする周期的フィードバックモード（第２のフィードバックモード）におけるプロシージャの一例である。なお、Ｗ−ＣＱＩはシステム帯域幅（コンポーネントキャリア帯域幅）を代表する１つのＣＱＩである。また、ここでいうフィードバックモードは、端末装置から基地局装置にフィードバックする受信品質情報のコンテンツの組み合わせ、それぞれのコンテンツの測定あるいは生成方法、およびそれぞれのコンテンツのフィードバック方法あるいはフィードバックに用いるリソースなどの設定を含む。まず、基地局はＲＲＣシグナリングを介して、端末装置におけるフィードバックのパラメータを設定し、第２のフィードバックモードを指示する（ステップＳ８０１）。周期的なフィードバックを指示された端末装置は、設定されたフィードバックのパラメータに従いＲＩおよびＰＩ１（ステップＳ８０２）とＰＩ２およびＷ−ＣＱＩ（ステップＳ８０３）とをそれぞれ周期的に基地局装置に物理上りリンク制御チャネルを介して報告する。ここで、ステップＳ８０２の報告をフィードバックタイプ１Ａ、ステップＳ８０３の報告をフィードバックタイプ１Ｂと称す。
【００３３】
図９は、本実施形態に係る周期的フィードバックモードにおけるプロシージャの他の一例を示している。図９に示したプロシージャは、一つのセルにおけるＲＩ・ＰＴＩ（Ｐｒｅｃｏｄｅｒ  Ｔｙｐｅ  Ｉｎｄｉｃａｔｉｏｎ）・ＰＩ１・ＰＩ２・Ｗ−ＣＱＩ・Ｓ−ＣＱＩ（Ｓｕｂｂａｎｄ−ＣＱＩ）を周期的にフィードバックする周期的フィードバックモード（第３のフィードバックモード）におけるプロシージャの一例である。Ｓ−ＣＱＩ（Ｓｕｂｂａｎｄ−ＣＱＩ）を周期的にフィードバックするフィードバックモードの場合は、さらにＳ−ＣＱＩを周期的に報告する。ここで、Ｓ−ＣＱＩは、システム帯域幅（コンポーネントキャリア帯域幅）を複数の狭帯域に分割し、分割された帯域ＢＰ（Ｂａｎｄｗｉｄｔｈ  Ｐａｒｔ）を代表するＣＱＩである。より具体的には、ＢＰに含まれる一つ以上サブバンド（ＢＰをさらに分割した帯域）のうちの一つのサブバンドにおけるＣＱＩである。また、後述するように、ＰＴＩはフィードバックする内容を切り替えるための指標である。まず、基地局はＲＲＣシグナリングを介して、端末装置におけるフィードバックのパラメータを設定し、第３のフィードバックモードを指示する（ステップＳ９０１）。周期的なフィードバックを指示された端末装置は、設定されたフィードバックのパラメータに従いＲＩおよびＰＴＩ（ステップＳ９０２）を周期的に基地局装置に物理上りリンク制御チャネルを介して報告する。ステップ９０２において報告したＰＴＩがサブバンド毎のＰＩ２を報告するようなプレコーダタイプを示す場合、設定されたフィードバックのパラメータに従いＰＩ１およびＷ−ＣＱＩ（ステップＳ９０３）とＰＩ２およびＳ−ＣＱＩ（ステップＳ９０３）とをそれぞれ周期的に基地局装置に物理上りリンク制御チャネルを介して報告する。ここで、ＰＩ２は、同時に送信するＳ−ＣＱＩに対応するサブバンドにおいて算出されたＰＩ２である。一方、ステップ９０２において報告したＰＴＩがシステム帯域幅（コンポーネントキャリア帯域幅）におけるＰＩ２を報告するようなプレコーダタイプを示す場合、設定されたフィードバックのパラメータに従いＰＩ２およびＷ−ＣＱＩ（ステップＳ９０５）とＳ−ＣＱＩ（ステップＳ９０６）とをそれぞれ周期的に基地局装置に物理上りリンク制御チャネルを介して報告する。なお、この場合はＰＩ１は報告せず、ＰＩ２のみで好適なプレコーダを指定するようなコードブックを用いる。ここで、ステップＳ９０２の報告をフィードバックタイプ２Ａ、ステップＳ９０３の報告をフィードバックタイプ２Ｂ、ステップＳ９０４の報告をフィードバックタイプ２Ｃ、ステップＳ９０５の報告をフィードバックタイプ２Ｄ、ステップＳ９０６の報告をフィードバックタイプ２Ｅと称す。なお、フィードバックタイプ２Ｄはフィードバックタイプ１Ｂと同様の報告でもよし、ＰＩ２やＷ−ＣＱＩの算出方法をそれぞれ個別に設定することもできる。
【００３４】
図１０は、本実施形態に係る周期的フィードバックモードにおけるプロシージャの他の一例を示している。図１０に示したプロシージャは、一つのセルにおけるＲＩ・ＰＩ１・ＰＩ２・Ｗ−ＣＱＩ・Ｓ−ＣＱＩを周期的にフィードバックする周期的フィードバックモード（第４のフィードバックモード）におけるプロシージャの一例である。まず、基地局はＲＲＣシグナリングを介して、端末装置におけるフィードバックのパラメータを設定し、第４のフィードバックモードを指示する（ステップＳ１００１）。周期的なフィードバックを指示された端末装置は、設定されたフィードバックのパラメータに従いＲＩ（ステップＳ１００２）を周期的に基地局装置に物理上りリンク制御チャネルを介して報告する。次に、設定されたフィードバックのパラメータに従いＰＩ１・ＰＩ２およびＷ−ＣＱＩ（ステップＳ１００３）とＳ−ＣＱＩ（ステップＳ１００３）とをそれぞれ周期的に基地局装置に物理上りリンク制御チャネルを介して報告する。ここで、ステップＳ１００２の報告をフィードバックタイプ３Ａ、ステップＳ１００３の報告をフィードバックタイプ３Ｂ、ステップＳ１００４の報告をフィードバックタイプ３Ｃと称す。なお、フィードバックタイプ３Ｃはフィードバックタイプ２Ｅと同様の報告でもよし、Ｓ−ＣＱＩの算出方法をそれぞれ個別に設定することもできる。
【００３５】
図１１は、本実施形態に係る上りリンク（ＵＬ）データ送信におけるプロシージャの一例を示している。まず、基地局は、物理層における上りリンクデータ送信用のチャネルである物理上りリンク共用チャネルの割り当てを示す割り当て情報を含む制御情報であるＵＬグラントを端末装置に通知する（ステップＳ１１０１）。ＵＬグラントを通知された端末装置は、割り当て情報により示された物理上りリンク共用チャネルを用いて、ＵＬデータを送信する（ステップＳ１００２）。
【００３６】
周期的フィードバックモードにおいて、いずれかのフィードバック情報を報告（ステップＳ８０２、ステップＳ８０３、ステップＳ９０２、ステップＳ９０３、ステップＳ９０４、ステップＳ９０５、ステップＳ９０６、ステップＳ１００２、ステップＳ１００３、ステップＳ１００４）は、通常は物理層における制御情報を報告するチャネルである物理上りリンク制御チャネルを介して行われる。しかし、ステップＳ１１０１により、これらいずれかのフィードバック情報を報告が行われるタイミングで、物理層におけるデータを送信するチャネルである物理上りリンク共用チャネルが割り当てられている場合、フィードバック情報は物理上りリンク共用チャネルを介して、ＵＬデータと同時に報告される。なお、物理層における制御情報を物理上りリンク制御チャネルの代わりに物理上りリンク共用チャネルを介して報告する動作をピギーバックと称する。
【００３７】
次に、周期的フィードバックモードにおけるピギーバック時のフィードバック情報のマッピングについて説明する。図１２は、フィードバック情報のマッピングの一例を示している。図１２に示す並び替えとマッピングは、上りリンクで複数のＣＷ（ＣＷ０とＣＷ１）を送信する場合の例である。なお、ここでは、ＣＷ０とＣＷ１は、それぞれレイヤ１とレイヤ２を用いて送信するものとして説明する。ここでは、フィードバックタイプ１Ａのピギーバック時のマッピングを示している。
【００３８】
より具体的には、ＲＩとＰＩ１とを含むフィードバック情報は、すべてのレイヤにおけるＵＬＲＳの近くのＳＣ−ＦＤＭＡシンボルの一部あるいは全部（例えば図１２に示すようにレイヤ１および２の２、６、９、１３番目のＳＣ−ＦＤＭＡシンボルの後方）にマッピングされるように並び替えが行われる。すなわち、ＲＩ・ＰＩ１はＵＬデータとは独立した空間多重方法（実質的に空間多重数を低くする方法）で安全に送信（報告）する。
【００３９】
これらの並び替えおよびマッピング処理は、上位層５０６の指示の下で、上りリンクサブフレーム生成部５０９で行われる。一方、基地局装置内のフィードバック情報抽出部４０９は、上位層４１３の指示の下で、上りリンクサブフレーム生成部５０９におけるマッピングに対応したデマッピング、上りリンクサブフレーム生成部５０９における並べ替えを元に戻すような並べ替え処理を行うことにより、フィードバック情報を取得する。
【００４０】
ここで、周期的フィードバックモードのピギーバック時におけるＰＩ１とＰＩ２の算出に用いるコードブックについて説明する。コードブックとしては非周期的フィードバックモードにおけるコードブックと同様のコードブックを用いるが、周期的フィードバックモードにおいては、コードブック内のＷ（ｉ、ｊ）の選択の自由度を低くすることにより、フィードバック情報によるオーバヘッドの低減が可能となる。
【００４１】
より具体的には、ＰＩ１としてｍビットで表すことができるインデクスｉの取り得る値を０、１、・・・、２ｍ−１から一部抜き出し（サブサンプリングし）、ＰＩ１に要するビット数をｍビットより小さい値にする。同様に、ＰＩ２に要するビット数をｎビットより小さい値にする。ＰＩ１とＰＩ２により表現可能なＷ（ｉ、ｊ）の種類を制限することにより、ＰＩ１とＰＩ２のビット数を抑えることができる。
【００４２】
以上のように、非周期的フィードバックモードにおいて、物理上りリンク共用チャネルを介してＰＩ１を報告する場合は、ＰＩ１を一つのＣＷに多重する。一方、周期的フィードバックモードにおけるピギーバック時に、物理上りリンク共用チャネルを介してＰＩ１を報告する場合は、ＰＩ１をすべてのＣＷに多重する。言い換えると、非周期的フィードバックモードにおいて、物理上りリンク共用チャネルを介してＰＩ１を報告する場合は、ＰＩ１をＵＬデータと同様に空間多重して送信する。一方、周期的フィードバックモードにおけるピギーバック時に、物理上りリンク共用チャネルを介してＰＩ１を報告する場合は、ＰＩ１をＵＬデータとは独立した空間多重方法（実質的に空間多重数を１とする方法）で送信する。
【００４３】
これにより、物理上りリンク共用チャネルを介して受信品質情報を報告する際に、受信品質情報が誤り伝搬の原因となり得る場合は安全な方法で送信し、受信品質情報が誤り伝搬の原因とならない場合はオーバヘッドを抑えた方法で送信することができる。このため、効率的な受信品質情報のフィードバックを行うことができる。
【００４４】
また、非周期的フィードバックモードにおいて、物理上りリンク共用チャネルを介してＰＩ１あるいはＰＩ２を報告する場合は、ＰＩ１あるいはＰＩ２のコードブックをサブサンプリングしない。一方、周期的フィードバックモードにおけるピギーバック時に、物理上りリンク共用チャネルを介してＰＩ１あるいはＰＩ２を報告する場合は、ＰＩ１あるいはＰＩ２のコードブックをサブサンプリングする。言い換えると、好適なプレコーダの複数の候補のうちの一部の候補から好適なプレコーダを選択する。すなわち、非周期的フィードバックモードにおいて、物理上りリンク共用チャネルを介してＰＩ１あるいはＰＩ２を報告する場合は、Ｘビットで表現できるＰＩ１あるいはＰＩ２を送信する。一方、周期的フィードバックモードにおけるピギーバック時に、物理上りリンク共用チャネルを介してＰＩ１あるいはＰＩ２を報告する場合は、Ｙビット（ただし、Ｙ＜Ｘ）で表現できるＰＩ１あるいはＰＩ２を送信する。
【００４５】
これにより、物理上りリンク共用チャネルを介して受信品質情報を報告する際に、ＣＱＩリクエストを受けた場合は詳細な受信品質情報を送信し、ＣＱＩリクエストを受けなかった場合はオーバヘッドを抑えた方法で送信することができる。このため、効率的な受信品質情報のフィードバックを行うことができる。
【００４６】
なお、以上の説明では、各フィードバックモードにおいてＰＩ１を報告する場合について説明したが、これに限るものではない。例えば、基地局装置の送信アンテナ数が少ない場合に、ＰＩ１を報告しないようにしてもよい。この場合、好適なプレコーダはＰＩ２のみから一意に決まるようなコードブックにしておけばよい。また、ＰＩ１を含むフィードバックタイプは、ＰＩ１以外のコンテンツを報告するフィードバックタイプとすればよい。
【００４７】
なお、基地局装置の全部または一部、あるいは端末装置の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４８】
また、「コンピュータシステム」は、ＷＷＷシステムを利用している場合であれば、ホームページ提供環境（あるいは表示環境）も含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５０】
また、基地局装置の全部または一部と、端末装置の全部または一部との機能を集積回路に集約して実現してもよい。基地局装置、及び端末装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００５１】
以上、この発明の実施形態を図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【００５２】
この発明の一態様においては、端末装置は、基地局装置と通信を行う端末装置であって、データ送信に用いるチャネルを介して、データと共に受信品質情報を報告するに際し、前記受信品質情報が非周期的に報告される受信品質情報である場合、前記受信品質情報を前記データの空間多重方法と同じ空間多重方法で報告し、前記受信品質情報が周期的に報告される受信品質情報である場合、前記受信品質情報を前記データの空間多重方法とは独立した空間多重方法で報告することを特徴とする。
【００５３】
また、本発明の一態様による端末装置は上記の端末装置であって、前記受信品質情報は、好適なプレコーダを指定する複数の部分プレコーダ情報のうちの一つの部分プレコーダ情報であることを特徴とする。
【００５４】
また、本発明の一態様による端末装置は、基地局装置と通信を行う端末装置であって、データ送信に用いるチャネルを介して、データと共に受信品質情報を報告するに際し、前記受信品質情報が非周期的に報告される受信品質情報である場合、好適なプレコーダの複数の候補から少なくとも一つの候補を指定する部分プレコーダ情報を報告し、前記受信品質情報が周期的に報告される受信品質情報である場合、前記好適なプレコーダの複数の候補のうちの一部の候補から少なくとも一つの候補を指定する部分プレコーダ情報を報告することを特徴とする。
【００５５】
また、本発明の一態様による基地局装置は、端末装置と通信を行う基地局装置であって、前記端末装置から、データ送信に用いるチャネルを介して、データと共に報告された受信品質情報を抽出するに際し、前記受信品質情報が非周期的に報告される受信品質情報である場合、前記受信品質情報を前記データの空間多重方法と同じ空間多重方法であるとして抽出し、前記受信品質情報が周期的に報告される受信品質情報である場合、前記受信品質情報を前記データの空間多重方法とは独立した空間多重方法であるとして抽出することを特徴とする。
【００５６】
また、本発明の一態様による基地局装置は上記の基地局装置であって、前記受信品質情報は、好適なプレコーダを指定する複数の部分プレコーダ情報のうちの一つの部分プレコーダ情報であることを特徴とする。
【００５７】
また、本発明の一態様による基地局装置は、端末装置と通信を行う基地局装置であって、前記端末装置から、データ送信に用いるチャネルを介して、データと共に報告された受信品質情報を抽出するに際し、前記受信品質情報が非周期的に報告される受信品質情報である場合、好適なプレコーダの複数の候補から少なくとも一つの候補を指定する部分プレコーダ情報を抽出し、前記受信品質情報が周期的に報告される受信品質情報である場合、前記好適なプレコーダの複数の候補のうちの一部の候補から少なくとも一つの候補を指定する部分プレコーダ情報を抽出することを特徴とする。
【００５８】
また、本発明の一態様による通信システムは、基地局装置と端末装置との間で通信を行う通信システムであって、前記端末装置は、データ送信に用いるチャネルを介して、データと共に受信品質情報を報告するに際し、前記受信品質情報が非周期的に報告される受信品質情報である場合、前記受信品質情報を前記データの空間多重方法と同じ空間多重方法で報告し、前記受信品質情報が周期的に報告される受信品質情報である場合、前記受信品質情報を前記データの空間多重方法とは独立した空間多重方法で報告し、前記基地局装置は、前記端末装置から、前記データと共に報告された受信品質情報を抽出するに際し、前記受信品質情報が非周期的に報告される受信品質情報である場合、前記受信品質情報を前記データの空間多重方法と同じ空間多重方法であるとして抽出し、前記受信品質情報が周期的に報告される受信品質情報である場合、前記受信品質情報を前記データの空間多重方法とは独立した空間多重方法であるとして抽出することを特徴とする。
【００５９】
また、本発明の一態様による通信システムは、基地局装置と端末装置との間で通信を行う通信システムであって、前記端末装置は、データ送信に用いるチャネルを介して、データと共に受信品質情報を報告するに際し、前記受信品質情報が非周期的に報告される受信品質情報である場合、好適なプレコーダの複数の候補から少なくとも一つの候補を指定する部分プレコーダ情報を報告し、前記受信品質情報が周期的に報告される受信品質情報である場合、前記好適なプレコーダの複数の候補のうちの一部の候補から少なくとも一つの候補を指定する部分プレコーダ情報を報告し、前記基地局装置は、前記端末装置から、前記データと共に報告された受信品質情報を抽出するに際し、前記受信品質情報が非周期的に報告される受信品質情報である場合、前記好適なプレコーダの複数の候補から少なくとも一つの候補を指定する部分プレコーダ情報を抽出し、前記受信品質情報が周期的に報告される受信品質情報である場合、前記好適なプレコーダの複数の候補のうちの一部の候補から少なくとも一つの候補を指定する部分プレコーダ情報を抽出することを特徴とする。
【００６０】
また、本発明の一態様による通信方法は、基地局装置と通信を行う端末装置における通信方法であって、データ送信に用いるチャネルを介して、データと共に受信品質情報を報告するに際し、前記受信品質情報が非周期的に報告される受信品質情報である場合、前記受信品質情報を前記データの空間多重方法と同じ空間多重方法で報告し、前記受信品質情報が周期的に報告される受信品質情報である場合、前記受信品質情報を前記データの空間多重方法とは独立した空間多重方法で報告するステップを有することを特徴とする。
【００６１】
また、本発明の一態様による通信方法は、基地局装置と通信を行う端末装置における通信方法であって、データ送信に用いるチャネルを介して、データと共に受信品質情報を報告するに際し、前記受信品質情報が非周期的に報告される受信品質情報である場合、好適なプレコーダの複数の候補から少なくとも一つの候補を指定する部分プレコーダ情報を報告し、前記受信品質情報が周期的に報告される受信品質情報である場合、前記好適なプレコーダの複数の候補のうちの一部の候補から少なくとも一つの候補を指定する部分プレコーダ情報を報告するステップを有することを特徴とする。
【００６２】
また、本発明の一態様による通信方法は、端末装置と通信を行う基地局装置における通信方法であって、前記端末装置から、データ送信に用いるチャネルを介して、データと共に報告された受信品質情報を抽出するに際し、前記受信品質情報が非周期的に報告される受信品質情報である場合、前記受信品質情報を前記データの空間多重方法と同じ空間多重方法であるとして抽出し、前記受信品質情報が周期的に報告される受信品質情報である場合、前記受信品質情報を前記データの空間多重方法とは独立した空間多重方法であるとして抽出するステップを有することを特徴とする。
【００６３】
また、本発明の一態様による通信方法は、端末装置と通信を行う基地局装置における通信方法であって、前記端末装置から、データ送信に用いるチャネルを介して、データと共に報告された受信品質情報を抽出するに際し、前記受信品質情報が非周期的に報告される受信品質情報である場合、好適なプレコーダの複数の候補から少なくとも一つの候補を指定する部分プレコーダ情報を抽出し、前記受信品質情報が周期的に報告される受信品質情報である場合、前記好適なプレコーダの複数の候補のうちの一部の候補から少なくとも一つの候補を指定する部分プレコーダ情報を抽出するステップを有することを特徴とする。
【産業上の利用可能性】
【００６４】
本発明は、無線端末装置や無線基地局装置や無線通信システムや無線通信方法に用いて好適である。
【符号の説明】
【００６５】
１０１、１３０１…基地局装置
１０２、１３０２…端末装置
１０３、１３０３…下りリンク送信信号
１０４、１３０４…フィードバック情報
４０１…下りリンクサブフレーム生成部
４０２…物理下りリンク制御チャネル生成部
４０３…下り参照信号生成部
４０４…ＯＦＤＭ信号送信部
４０５…送信アンテナ
４０６…受信アンテナ
４０７…ＳＣ−ＦＤＭＡ信号受信部
４０８…フィルタ部
４０９…フィードバック情報抽出部
４１０…コードワード処理部
４１１…上位層
５０１…受信アンテナ
５０２…ＯＦＤＭ信号受信部
５０３…下りリンクサブフレーム処理部
５０４…下り参照信号抽出部
５０５…物理下りリンク制御チャネル抽出部
５０６…上位層
５０７…フィードバック情報生成部
５０８…コードワード生成部
５０９…上りリンクサブフレーム生成部
５１０…上り参照信号生成部
５１１…ＳＣ−ＦＤＭＡ信号送信部
５１２…送信アンテナ
【図１】
0005542988.tif 000002
【図２】
0005542988.tif 000003
【図３】
0005542988.tif 000004
【図４】
0005542988.tif 000005
【図５】
0005542988.tif 000006
【図６】
0005542988.tif 000007
【図７】
0005542988.tif 000008
【図８】
0005542988.tif 000009
【図９】
0005542988.tif 000010
【図１０】
0005542988.tif 000011
【図１１】
0005542988.tif 000012
【図１２】
0005542988.tif 000013
【図１３】
0005542988.tif 000014